(57)【要約】【課題】高音域のみならず低音域の音を容易に演奏することが可能な金管楽器用のマウスピースを提供する。【解決手段】楽器本体のマウスパイプ部に接続するためのシャンク部と、このシャンク部の長さ方向一端に設けられたカップ部と、このカップ部の先端に設けられたリム部とから構成され、リムの先端には、正面視リング状のリムカンター面が備えられている金管楽器用マウスピースにおいて、リムカンター面には、リムカンター面の内周側から外周側に向かって前方に傾斜する傾斜面を備えた膨出部が設けられ、この膨出部は、前記リムカンター面の上下部分を除く左右両側部にそれぞれ設けられ、且つ上下に向かうに従って低くなるように形成されて、リム部を上方から見たとき、リムカンター面がその中央部が窪む略湾曲状に形成されている。【選択図】図５
2010066355.tif 000002
【特許請求の範囲】
【請求項１】
楽器本体のマウスパイプ部に接続するためのシャンク部と、このシャンク部の長さ方向一端に設けられたカップ部と、このカップ部の先端に設けられたリム部とから構成され、リムの先端には、正面視リング状のリムカンター面が備えられている金管楽器用マウスピースにおいて、
前記リムカンター面には、前記リムカンター面の内周側から外周側に向かって前方に傾斜する傾斜面を備えた膨出部が設けられていることを特徴とする金管楽器用マウスピース。
【請求項２】
前記膨出部が前記リムカンター面の上下部分を除く左右両側部にそれぞれ設けられ、この膨出部は、上下に向かうに従って低くなるように形成されて、前記リム部を上方から見たとき、前記リムカンター面がその中央部が窪む略湾曲状に形成されていることを特徴とする請求項１に記載の金管楽器用マウスピース。
【発明の詳細な説明】
【技術分野】
【０００１】
本発明は、チューバやトロンボーン、トランペット等の金管楽器に用いられるマウスピースに関する。
【背景技術】
【０００２】
一般にこの種のマウスピースは、楽器本体のマウスパイプ部(吹込管)に連結される円筒状のシャンク部と、このシャンク部の長さ方向一端に設けられるカップ部と、このカップ部の先端に設けられるリム部とが備えられている。（特許文献１参照）
そして以上のマウスピースは、リム部の先端に形成されたリング状の平らなリムカンター面に演奏者の唇を接触させた状態で、口から吹き出す空気により唇を振動させて、演奏を行なうようにしている。
【０００３】
具体的には、演奏者が口腔内の圧力を高めた状態で、リムカンター面に接触させた唇から空気を吹き出しながら唇を振動させることにより、音を発するのであって、この時、演奏者自身が唇の締め具合を調整することにより、楽器から発する音の高さを任意変えるのである。
【０００４】
即ち、演奏時、低音域では唇を緩めるのであり、これにより、リムカンター面に対する唇の接触力は弱まるのに対して、高音域では唇を締めるのであり、これにより、リムカンター面に対する唇の接触力は強まるのが一般的である。
【０００５】
しかしながら、特に初心者では唇のコントロールが難しく、また慣れたプレイヤーでも低音から高音域まで余裕をもって演奏することが難しい。
【０００６】
ところで以上のマウスピースは、リング状のリムカンター面の内径が狭いほど高音域の音が出やすく、逆にリムカンター面の内径が大きいほど低音域の音が出やすいことが知られている。
【０００７】
そのため、従来では、リムカンター面の内径の異なるマウスピースを用意し、演奏する曲に応じて、マウスピースを使い分けているが、演奏途中でマウスピースを取り替えることは実質的に困難であるので、演奏前に選択したマウスピースを使うしかなく、従って、低音域から高音域まで余裕のある演奏を望むことは出来ない。
【特許文献１】特開２００４−６１５７３号
【発明の開示】
【発明が解決しようとする課題】
【０００８】
本発明は、以上の問題を解消すべく開発したものであって、目的とするところは、高音域のみならず低音域の音を容易に演奏することが可能な金管楽器用のマウスピースを提供することにある。
【課題を解決するための手段】
【０００９】
以上の目的を達成するために、請求項１に記載の発明は、楽器本体のマウスパイプ部に接続するためのシャンク部と、このシャンク部の長さ方向一端に設けられたカップ部と、このカップ部の先端に設けられたリム部とから構成され、リムの先端には、正面視リング状のリムカンター面が備えられている金管楽器用マウスピースにおいて、
リムカンター面には、リムカンター面の内周側から外周側に向かって前方に傾斜する傾斜面を備えた膨出部が設けられていることを特徴とする。
【００１０】
請求項２に記載の発明は、請求項１に記載の金管楽器用マウスピースにおいて、前記膨出部が前記リムカンター面の上下部分を除く左右両側部にそれぞれ設けられ、この膨出部は、上下に向かうに従って低くなるように形成されて、リム部を上方から見たとき、リムカンター面がその中央部が窪む略湾曲状に形成されていることを特徴とする。
【発明の効果】
【００１１】
請求項１に記載の発明によれば、例えば高音域の音を演奏する場合には、唇を締めることにより、唇の左右両側部が膨出部の傾斜面のほぼ全面に接触するので、唇の振動する部分がリムカンター面の内径とほぼ同じ長さとなり、唇を小刻みに振動させやすくなる。
【００１２】
したがって、唇の振動数を多くすることができて、高音域の音を出し易くなる。
【００１３】
また、低音域の音を演奏する場合には、唇を緩めることにより、唇の左右両側部が、リムカンター面における膨出部の傾斜面の底部近くには接触しなくなるので、唇の振動する部分がリムカンター面の内径よりも広くなる。
【００１４】
したがって、唇の振動数が少なくなり、低音域の音が演奏し易くなる。
【００１５】
斯くして請求項１に記載の発明のマウスピースによれば、低音域から高音域にわたって容易に演奏することができる。
【００１６】
請求項２に記載の発明によれば、請求項１に記載の発明の効果に加え、リムカンター面が上方から見てその中央部が窪む略湾曲状に形成されていることから、唇がリムカンター面に均等に密着して、口腔とマウスピース内の空間との機密性が十分確保され、不用意に空気が外部に漏れ出ることがない。
【発明を実施するための最良の形態】
【００１７】
以下、本発明にかかる金管楽器用マウスピースの一実施形態を説明する。
【００１８】
まず図１は、金管楽器用マウスピースの一実施形態を示す斜視図、
図２は、その平面図、
図３は、同じくその側面図、
図４は、同じくその断面図、
図５は、同じくその正面図である。
【００１９】
図において符号１で示す金管楽器用マウスピースは、チューバに用いるものである。
【００２０】
このマウスピース１は、真鍮などの金属材料から一体に作成されたものであって、チューバのマウスパイプ部(吹込管)に嵌め込まれるシャンク部２と、このシャンク部２の長さ方向一端に一体に設けられたカップ部３と、このカップ部３の先端に一体に設けられたリム部４とから構成されている。
【００２１】
以上のマウスピースのシャンク部２は細長い円筒状に形成されており、またカップ部は釣鐘状に形成されており、更にリム部４は、リング状に形成されている。
【００２２】
またリム部４の先端には、リング状のリムカンター面５が設けられ、このリムカンター面５に演奏者の唇Lを接触させた状態で、唇を振動させながら口から吹き出す空気をカップ部３内に送り込むことにより、演奏を行なうようにしている。
【００２３】
そして以上のマウスピース１において、本発明は、リムカンター面５に、その内周から外周に向かってリムカンター面５の前方に向かって傾斜する傾斜面６０を備えた膨出部６を設けたのである。
【００２４】
即ち、図に示す実施形態では、図２にも示すように、膨出部６がリムカンター面５の上下部分を除く左右両側部にそれぞれ設けられている。
【００２５】
この膨出部６は、図３にも示すように、上下に向かうに従って低くなるように形成されて、上方からリム部４を見たとき、図２に示すように、リムカンター面５がその中央部が窪む略湾曲状に形成されている。
【００２６】
また膨出部６におけるリムカンター面５の外周近傍に位置する頂部６１は、図６にも示すように湾曲面に形成されている。
【００２７】
また図に示す実施形態では、リムカンター面５の幅Ｓを約７ｍｍとし、膨出部の最大高さＴを約６mmとし、また傾斜面６０の傾斜角度θを約１８度としている。
【００２８】
次に以上の構成からなるマウスピース１の使用方法を説明する。
【００２９】
使用に際しては、先ずシャンク部２を楽器のマウスパイプ部(吹込管)に嵌め込むのであって、この時、図５に示すように、左右の膨出部６がリムカンター面５にあてがう演奏者の唇Lの左右両側部に位置するように調整する。
【００３０】
以上のように楽器に取り付けられたマウスピース１により演奏するには、図５に示すように、唇Lをその左右両側部がリムカンター面５の左右膨出部６と対接するように当て、演奏者が唇Ｌを振動させながら空気を唇Ｌから吹き出してマウスピース１のカップ部３内に送り込むのである。
【００３１】
そして演奏時、例えば高音域の音を演奏する場合には、前記したように唇Lを締めるのであって、これに伴ない、唇Ｌの左右両側部は、図６に示すように、膨出部６の傾斜面６０のほぼ全面に接触することとなる。
【００３２】
これにより、演奏時、唇Ｌの振動する部分がリムカンター面５の内径Ｐ１とほぼ同じ長さとなり、唇Ｌを小刻みに振動させやすくなる。
【００３３】
したがって、唇Ｌの振動数を多くすることができて、高音域の音を出し易くなる。
【００３４】
これに対して低音域の音を演奏する場合には、前記したように、唇Lを緩めるのであって、これにより、リムカンター面５に対する唇Ｌの接触力も弱まるのである。
【００３５】
これに伴ない、図７に示すように、唇Ｌの左右両側部が、リムカンター面５における膨出部６の傾斜面６０の底部近くには接触しなくなる。
【００３６】
そのため、唇Ｌの振動する部分がリムカンター面５の内径Ｐ１よりも長くなって、唇Ｌの振動する部分の幅が広くなる。
【００３７】
したがって、唇Ｌの振動数が少なくなり、低音域の音が演奏し易くなるのである。
【００３８】
ところで、前記したマウスピース１では、上方からリム部４を見たとき、リムカンター面５がその中央部が窪む略湾曲状に形成されていることから、演奏時、息が漏れることが少ない。
【００３９】
即ち、金管楽器の演奏時、口腔とマウスピース１内の空間との機密性が維持される必要があるが、リムカンター面５が平滑面であると、平面視略湾曲状となって中央部が前方に突出している唇Ｌの両端部分の機密性を確保することが困難であり、特に唇Ｌを緩める低音域の演奏時には、時として唇Ｌの両側部から空気が漏れ出るものである。
【００４０】
しかしながら、本実施形態のマウスピース１では、前記したように、その中央部が窪む略湾曲状に形成されているので、唇Ｌがリムカンター面５に均等に密着することとなり、従って、唇Ｌとマウスピース１との機密性が十分確保され、不用意に空気が外部に漏れ出ることがない。
【００４１】
以上の実施形態では、膨出部６を、リムカンター面５の上下部分を除く左右両側部にそれぞれ設けたが、これに限定されるものではなく、例えば、リムカンター面５の全周にわたって膨出部６を連続的に設けてもよく、この場合、リムカンター面５の左右両側部に位置する膨出部６から上下部分に位置する膨出部６にむかうに従って、その高さを徐々に低くするのが好ましい。
【００４２】
また以上の実施形態では、膨出部６をリム部４のリムカンター面５に一体に形成したが、これに限定されるものではなく、前記膨出部６を別途形成して、この膨出部６を脱着式としてもよい。
【００４３】
即ち、例えば膨出部６を別途合成樹脂材料から形成して、この膨出部６をリムカンター面５に接着剤により貼り付けてもよい。
【００４４】
また以上の実施形態では、リムカンター面５の幅Ｓを約７ｍｍとし、膨出部の最大高さＴを約６mmとし、また傾斜面６０の傾斜角度θを約１８度としたが、これに限定されるものではなく、リムカンター面５の幅Ｓ、膨出部の最大高さＴ、傾斜面６０の傾斜角度θは、例えばマウスピース１の使用者に応じて適宜調整すればよい。
【００４５】
また以上の実施形態では、チューバのマウスピース１を例として示したが、本考案はこれに限定されず、トランペットやユーフォニューム、トロンボーンなど他の金管楽器のマウスピース１に適用してもよい。
【図面の簡単な説明】
【００４６】
【図１】本発明にかかる金管楽器用マウスピースの一実施形態を示す斜視図。
【図２】同、平面図。
【図３】同、側面図。
【図４】同、断面図。
【図５】同、正面図。
【図６】高音領域での使用態様を示す説明図。
【図７】低音領域での使用態様を示す説明図。
【符号の説明】
【００４７】
１      マウスピース
２      シャンク部
３      カップ部
４      リム部
５      リムカンター面
６      膨出部
６０    傾斜面
６１    頂部
【図１】
2010066355.tif 000003
【図２】
2010066355.tif 000004
【図３】
2010066355.tif 000005
【図４】
2010066355.tif 000006
【図５】
2010066355.tif 000007
【図６】
2010066355.tif 000008
【図７】
2010066355.tif 000009